(57)【特許請求の範囲】
【請求項１】
天井材を構造材に吊り下げる吊り具の一端部側が前記天井材に取り付けられ、前記吊り具の他端部側が前記構造材の下方に配設され、前記他端部側が前記構造材に接合材により取り付けられている天井材の取り付け構造において、
前記吊り具の他端部側と前記構造材との間にゴム弾性を有する弾性材が配設され、且つ、前記構造材の下側に前記吊り具の他端部側が前記弾性部材を介して重ね合せられていると共に、前記接合材は前記吊り具を上昇操作可能に前記吊り具の他端部側と前記弾性材と前記構造体を接合していて、前記構造材による前記吊り具の上昇操作により前記弾性材を圧縮させると、前記天井材の高さ位置が弾性材の圧縮レベルにより調整されるように設けられていることを特徴とする天井材の取り付け構造。
【請求項２】
前記弾性材，構造材及び吊り具の他端部側に通孔がそれぞれ設けられ、前記接合材はボルトとナットとからなると共に、このボルトが前記弾性材，構造材及び吊り具の他端部側の通孔をそれぞれ貫通し、且つこのボルトの先端にナットが螺合されて、構造材の下側に吊り具の他端部側が重合され、このボルトとナットで弾性材が圧縮され、この弾性材によって吊り具の他端部側が構造材に圧着されていることを特徴とする請求項１に記載の天井材の取り付け構造。
【請求項３】
隣接する建物ユニットの各建物ユニットで、前記天井材の高さ位置が弾性材への圧縮レベルにより調整された後、隣接する建物ユニット間天井材の端部の隙間に継ぎ用の天井面材が張設されていることを特徴とする請求項１又は２に記載の天井材の取り付け構造。
【発明の詳細な説明】
【０００１】
【発明の属する技術分野】
本発明は隣接する建物ユニット間の天井材の取り付け構造に関する。
特に、建物ユニット間の天井高さの位置合わせが容易であり、長期間経過しても天井材高さに段差等が生じない、防振性のよい建物ユニット間の天井材の取り付け構造を提供することである。
【０００２】
【従来の技術】
従来、防振性のよい天井構造としては、種々な構造が知られている。
例えば、実公昭６２−８２６５号公報に記載されている天井構造は、構造材に取り付けられた構造材側吊り杆と、天井材に取り付けられた天井側吊り杆とが、ゴム弾性を有する弾性材の両側面に連結されているものである。
【０００３】
一方、ユニット建物は、運搬可能な一定の大きさの箱形の、且つ、内部、外部の仕上げられた建物ユニットと屋根ユニット・屋根パネルとを、予め、工場で製造し、この建物ユニットや屋根ユニット・屋根パネルの複数個を施工現場に運搬し、施工現場で組み立てて建物となすものであって、現場施工期間が短く、且つ、寸法精度の良い標準化された建物となる特徴があることから、近年、広く採用されている。
【０００４】
このユニット建物においても、防振性のよい天井構造が採用され、さらに、近年大空間の部屋を設ける事が多くなっている。この場合には隣接配置する建物ユニット間に跨がって間仕切りとなる壁を取り払って連続した大部屋が設けられる。例えば第一建物ユニットと第二建物ユニットとを長辺同士を突き合わせて据え付け、この第一建物ユニットと第二建物ユニットとの隣接した長辺側の壁を取り除き、天井面、床面をそれぞれ面一に接合して大部屋とするのである。
【発明が解決しようとする課題】
しかし、上記公報に記載の天井構造では、上階の床の上を歩いたり床の上に物を落としたりして床が振動し、この振動が構造材を経て構造材側吊り杆を振動させても、弾性材が振動を吸収するので、この振動が天井側吊り杆に伝わり難く、従って、天井材が振動し難いので極めて好ましい構造であるが、長期間使用している間にゴムが劣化して天井材を支持するだけの力がなくなると、弾性材の両側面に取り付けられている天井側吊り杆と構造材側吊り杆とにかかる剪断力によって弾性材が変形し天井材が下方に垂れ、最悪の場合には天井材が落下するという問題がある。
【０００５】
そして、ユニット建物においても、上記公報記載の問題があり、特に建物ユニット間に跨がって天井が連続して設けられる場合には、まず、現場施工に際して隣接する建物ユニットの天井高さ位置を合わせなければならないという問題がある。更に、上記従来技術による天井構造では長期間使用している間に弾性材等の劣化により天井材高さ位置がズレてきたり、垂れ下がったりして建物ユニット間で段差を生じたりして外観意匠性も低下するという問題がある。
そこで、本発明の目的は、建物ユニット間の天井高さの位置合わせが容易であり、弾性材が劣化しても天井材高さに段差等が生じない、防振性のよい建物ユニット間の天井材の取り付け構造を提供することである。
【０００６】
【課題を解決するための手段】
本発明は上記目的を達成するためになしたものであって、天井材を構造材に吊り下げる吊り具の一端部側が前記天井材に取り付けられ、前記吊り具の他端部側が前記構造材の下方に配設され、前記他端部側が前記構造材に接合材により取り付けられている天井材の取り付け構造において、前記吊り具の他端部側と前記構造材との間にゴム弾性を有する弾性材が配設され、且つ、前記構造材の下側に前記吊り具の他端部側が前記弾性部材を介して重ね合せられていると共に、前記接合材は前記吊り具を上昇操作可能に前記吊り具の他端部側と前記弾性材と前記構造体を接合していて、前記構造材による前記吊り具の上昇操作により前記弾性材を圧縮させると、前記天井材の高さ位置が弾性材の圧縮レベルにより調整されるように設けられていることを特徴とする。
【０００７】
請求項２記載の発明は、前記弾性材，構造材及び吊り具の他端部側に通孔がそれぞれ設けられ、前記接合材はボルトとナットとからなると共に、このボルトが前記弾性材，構造材及び吊り具の他端部側の通孔をそれぞれ貫通し、且つこのボルトの先端にナットが螺合されて、構造材の下側に吊り具の他端部側が重合され、このボルトとナットで弾性材が圧縮され、この弾性材によって吊り具の他端部側が構造材に圧着されていることを特徴とする。
【０００８】
請求項３記載の発明は、隣接する建物ユニットの各建物ユニットで、前記天井材の高さ位置が弾性材への圧縮レベルにより調整された後、隣接する建物ユニット間天井材の端部の隙間に継ぎ用の天井面材が張設されていることを特徴とする。
【０００９】
本発明における弾性材とはゴム弾性を有する材料を適宜形状に成形したものである。この弾性体の材料としては、天然ゴム、合成ゴム等のゴムや軟質ポリ塩化ビニル樹脂、軟質ポリウレタン樹脂等のゴム弾性を有する合成樹脂等が好適である。
【００１０】
本発明における構造体とは、構造材自体は勿論のこと、この天井材を吊り下げるために構造材に取り付けられた構造材側吊り具や構造材側支持片等を含むものである。
本発明において、構造材の下側に吊り具の他端部側が重合されているが、この構造材や吊り具の重合面に凹凸を設けて、構造材から天井側吊り具に振動が伝わる面積を小さくすると、振動が伝わり難くなり好ましい。
【００１１】
（作用）
請求項１記載の発明では、天井材の高さ位置が弾性材の圧縮レベルにより調整されるように設けられているので、建物ユニット間の天井高さ位置の調整が容易にできる。
【００１２】
又、長期間使用している間にゴムが劣化して弾性材の圧着力が低下しても、この弾性材が吊り具を支持してなく、上方から押圧する弾性材を受ける構造材、または、下方から弾性材を押圧するものが吊り具を支持しているので、天井材が垂れることがなく、隣接する建物ユニット間の天井高さに段差等の歪みを生ずることがない。
【００１３】
請求項２記載の発明では、前記接合材は、ボルトと、ナットとからなり、このボルトとナットで弾性材が圧縮され、この弾性材によって吊り具が構造材に圧着されているので、請求項１と同様に建物ユニット間の天井高さ位置の調整が容易にできる。
又、長期間使用している間にゴムが劣化して弾性材の圧着力が低下しても、この弾性材の下方から螺入されたナットが吊り具を支持しているので、天井材が垂れることがなく、隣接する建物ユニット間の天井高さに段差等の歪みを生ずることがない。
【００１４】
請求項３記載の発明では、前記天井材の高さ位置が弾性材への圧縮レベルにより調整された後、隣接する建物ユニット間天井材の端部の隙間に継ぎ用の天井面材が張設されているので、建物ユニット間に跨って天井面が面一であり、外観意匠性に優れる。
【００１５】
【発明の実施の形態】
次に、本発明の実施例を説明する。
図１（イ）は本発明の天井材の取り付け構造の一実施例を示すもので、２階建てユニット建物の建物ユニット間の床と天井との接続部を示す説明図、（ロ）はＡ部の拡大図である。
【００１６】
図１において、Ｕは２階建てユニット建物、Ｔ１は下階建物ユニット、Ｔ２は上階建物ユニットであり、上階建物ユニットＴ２と下階建物ユニットＴ１の間に天井パネル６及び床パネル７が設けられ、隣接する上階建物ユニットＴ２と下階建物ユニットＴ１の間に設けられている天井パネル６及び床パネル７とが天井材の高さ位置が調整されて接続される。
【００１７】
図１（ロ）において、１は吊り具である断面視Ｌ字状の天井受け金具であり、２は防振ゴムであり、３は１階と２階の境に設けられている大梁からなる構造材であり、この構造材３は上側フランジ３２と下側フランジ３１とがウエッブ３３で連結された断面コ字形の鋼製の長尺体である。
【００１８】
７は床パネルであり、この床パネル７は木製の長尺体が枠７３に組み立てられ、この枠７３の上面にパーチクルボードの床材７２が取り付けられ、下面にパーチクルボード７１が取り付けられたものである。そして、枠７３には通孔７６が設けられている。
９は上側フランジ９１と下側フランジ９２がウエッブ９３で連結された断面Ｚ形の金属板からなる床受け金具であり、この上側フランジ９１には通孔９５が、又、ウエッブ９３には通孔９６がそれぞれ設けられている。
【００１９】
６は天井パネルであり、この天井パネル６は木製の長尺体が枠６３に組み立てられ、この枠６３の下面に石膏ボートの天井面材（天井材）６１が取り付けられたものである。
【００２０】
吊り具１は、天井パネル６の枠６３の側方に配設された一端部側１２と、構造材３の下側フランジ３１の下方に水平に配設された他端部側１１からＬ字状に形成されている。しかも、吊り具１の他端１１と構造材３の下側フランジ３１との間には防振ゴム２が配設されている。また、吊り具１の他端部側１１と構造材３の下側フランジ３１は、防振ゴム２を介してボルト４、ナット５により接合されている。そして、吊り具１のＬ字型の一端部側１２は天井パネル６の枠６３に釘８で取り付けられている。
【００２１】
このようにして、施工現場で上階建物ユニットＴ２の床パネル７が床受け金具９により構造材３に強固に接合され、下階建物ユニットＴ１の天井パネル６が吊り具１により防振ゴム２を介して構造材３により接合される。同様にして、隣接する上階建物ユニットＴ２の床パネル７及び下階建物ユニットＴ１の天井パネル６が接合される。その際、吊り具１と構造材３とを防振ゴム２を介してボルト４及びナット５により接合されるが、何れかの建物ユニットの側のボルト４を締めつけると、防振ゴム２が圧縮されて天井パネル６が上昇して隣接する建物ユニット間の天井パネル６，６間の高さが面一になるように調整される。
次いで、隣接する建物ユニットの天井パネル６の天井面材６１，６１間の隙間に継ぎ天井面材６１Ａが張設される。
【００２２】
このようになっているので、ユニット建物において、工場で取り付けられた建物ユニットの天井パネル６が、現場施工する際に、建物ユニット間で段差が生じても、防振ゴム２の締めつけ具合を調整するだけで、建物ユニット間の段差を解消することができる。
また、上階の床パネル７の上を歩いたり、床パネル７の上に物を落としたりして床パネル７が振動し、構造材３が振動しても、吊り具１と構造材３との間の防振ゴム２によって、この振動が吸収され、吊り具１に振動が伝わり難く、従って、天井パネル６が振動し難くなる。
【００２３】
又、長期間使用している間に合成ゴムが劣化して防振ゴム２の圧着力が低下しても、この防振ゴム２の上方から螺入されたナット５が吊り具１を支持しているので、天井パネル６が垂れることがない。
又、防振ゴム２の厚みや数を変えることにより天井パネル６の高さを種々に調整できる。
【００２４】
【発明の効果】
請求項１記載の発明では、天井材の高さ位置が弾性材の圧縮レベルにより調整されるように設けられているので、建物ユニット間の天井高さ位置の調整が容易にできる。
【００２５】
又、長期間使用している間にゴムが劣化して弾性材の圧着力が低下しても、この弾性材が吊り具を支持してなく、上方から押圧する弾性材を受ける構造材、または、下方から弾性材を押圧するものが吊り具を支持しているので、天井材が垂れることがなく、隣接する建物ユニット間の天井高さに段差等の歪みを生ずることがない。
【００２６】
請求項２記載の発明では、前記接合材は、ボルトと、ナットとからなり、このボルトとナットで弾性材が圧縮され、この弾性材によって吊り具が構造材に圧着されているので、請求項１と同様に建物ユニット間の天井高さ位置の調整が容易にできる。
又、長期間使用している間にゴムが劣化して弾性材の圧着力が低下しても、この弾性材の下方から螺入されたナットが吊り具を支持しているので、天井材が垂れることがなく、隣接する建物ユニット間の天井高さに段差等の歪みを生ずることがない。
【００２７】
請求項３記載の発明では、前記天井材の高さ位置が弾性材への圧縮レベルにより調整された後、隣接する建物ユニット間天井材の端部の隙間に継ぎ用の天井面材が張設されているので、建物ユニット間に跨って天井面が面一であり、外観意匠性に優れる。
【図面の簡単な説明】
【図１】  図１（イ）は本発明の天井材の取り付け構造の一実施例を示すもので、２階建てユニット建物の建物ユニット間の床と天井との接続部を示す説明図、（ロ）はＡ部の拡大図である。
【符号の説明】
Ｔ１          下階建物ユニット
Ｔ２          上階建物ユニット
Ｕ            ユニット建物
１            吊り具
１１          一端部側
１２          他端部側
２            弾性材
３            構造材
４            ボルト
５            ナット
６            天井パネル
６１          天井面材（天井材）
６１Ａ        継ぎ天井面材
７            床パネル
８            釘
９            床受け金具
【図１】
0003749633.tif 000002